(57)【要約】      （修正有）【課題】ダウエルピンと支持基台との間の保持力を高めることができる歯科技工用作業模型を提供すること。【解決手段】固定用プレート６を支持するための支持基台１０は、ダウエルピン８を挿通するための挿通開口１８が設けられた上壁１４と、上壁１４の外周縁部から下方に延びる周側壁１６とを有している。支持基台１０の上壁１４の両側部には、一対の外係合突部２２，２４が設けられ、また挿通開口１８の両側に複数の内係合突部４６，４８からなる一対の内係合突部列４２，４４が設けられ、内係合突部４６，４８は、上壁１４から延びる第１突部本体と、第１突部本体から延びる第１小突部とを有している。一方、固定用プレート６には、一対の外係合突部２２，２４に対応して一対の外係合凹部５０が設けられ、また一対の内係合突部列４２，４４に対応して一対の内係合凹部列が設けられている。【選択図】図２
2017074348.tif 000002
【特許請求の範囲】
【請求項１】
歯形模型が固定される固定用プレートと、前記固定用プレートに植設された複数のダウエルピンと、前記固定用プレートを支持するための支持基台と、を備えた歯科技工用作業模型であって、
前記支持基台は、前記複数のダウエルピンに対応して複数の挿通開口が設けられた上壁と、前記上壁の外周縁部から下方に延びる周側壁とを有しており、
前記支持基台の上面における相互に対向する両側部には、上方に突出する一対の外係合突部又は下方に延びる一対の外係合凹部が設けられ、前記一対の外係合突部又は前記一対の外係合凹部のうちの一方の外係合突部又は一方の外係合凹部と前記複数の挿通開口との間には、複数の第１内係合突部又は複数の第１内係合凹部が間隔をおいて設けられており、
また、前記固定用プレートの下面における相互に対向する両側部には、前記支持基台側の前記一対の外係合突部又は前記一対の外係合凹部に対応して、一対の外係合凹部又は一対の外係合突部が設けられているとともに、前記一対の外係合凹部又は前記一対の外係合突部のうちの一方の外係合凹部又は一方の外係合突部と前記複数のダウエルピンとの間には、前記支持基台側の前記複数の第１内係合突部又は複数の第１内係合凹部に対応して、複数の第１内係合凹部又は複数の第１係合内突部が間隔をおいて設けられており、
前記複数の第１内係合突部は、前記支持基台の前記上面又は前記固定用プレートの前記下面から延びる第１突部本体と、前記第１突部本体から延びる第１小突部とを有し、前記第１小突部は、前記第１突部本体よりも小さく構成されており、
また、前記複数の第１内係合凹部は、前記複数の第１内係合突部の前記第１突部本体に対応して設けられた第１凹部本体と、前記複数の第１内係合突部の前記第１小突部に対応して設けられた第１小凹部とを有し、前記第１小凹部は前記第１凹部本体よりも小さく構成されていることを特徴とする歯科技工用作業模型。
【請求項２】
前記複数の第１内係合突部の前記第１小突部の高さ（ｈ１）は、それらの前記第１突部本体の高さ（Ｈ１）と等しい又はそれよりも小さく（ｈ１≦Ｈ１）、また前記複数の第１内係合凹部の前記第１小凹部の深さ（ｄ１）は、それらの前記第１凹部本体の深さ（Ｄ１）と等しい又はそれよりも小さい（ｄ１≦Ｄ１）ことを特徴する請求項１に記載の歯科技工用作業模型。
【請求項３】
前記支持基台側の前記一対の外係合突部又は前記一対の外係合凹部のうちの他方の外係合突部又は他方の外係合凹部と前記複数の挿通開口との間には、複数の第２内係合突部又は複数の第２内係合凹部が間隔をおいて設けられ、また前記固定用プレート側の前記一対の外係合凹部又は前記一対の外係合突部のうちの他方の外係合凹部又は他方の外係合突部と前記複数のダウエルピンとの間には、前記支持基台側の前記複数の第２内係合突部又は前記複数の第２内係合凹部に対応して、複数の第２内係合凹部又は複数の第２内係合突部が間隔をおいて設けられており、
前記複数の第２内係合突部は、前記支持基台の前記上面又は前記固定用プレートの前記下面から延びる第２突部本体と、前記第２突部本体から延びる第２小突部とを有し、前記第２小突部は前記第２突部本体よりも小さく構成され、また前記複数の第２内係合凹部は、前記複数の第２内係合突部の前記第２突部本体に対応して設けられた第２凹部本体と、前記複数の第２内係合突部の前記第２小突部に対応して設けられた第２小凹部とを有し、前記第２小凹部は前記第２凹部本体よりも小さく構成されていることを特徴とする請求項１又は２に記載の歯科技工用作業模型。
【請求項４】
前記複数の第２内係合突部の前記第２小突部の高さ（ｈ２）は、それらの前記第２突部本体の高さ（Ｈ２）と等しい又はそれよりも小さく（ｈ２≦Ｈ２）、また前記複数の第２内係合凹部の前記第２小凹部の深さ（ｄ２）は、それらの前記第２凹部本体（Ｄ２）の深さと等しい又はそれよりも小さい（ｄ２≦Ｄ２）ことを特徴する請求項３に記載の歯科技工用作業模型。
【請求項５】
前記支持基台側の両側部に前記一対の外係合突部が設けられ、前記一対の外係合突部の内面は、内側に向けて下方に傾斜する内傾斜面を有し、前記内傾斜面には、その長手方向に間隔をおいて複数の補助係合凹部が設けられており、
また、前記固定用プレートの両側部に前記一対の外係合凹部が設けられ、前記一対の外係合凹部の外面は、前記一対の外係合突部の前記内傾斜面に対応して、外側に向けて上方に傾斜する外傾斜面を有し、前記外傾斜面には、前記内傾斜面側の前記複数の補助係合凹部に対応して、その長手方向に間隔をおいて複数の補助係合突部が設けられていることを特徴とする請求項１〜４のいずれかに記載の歯科技工用作業模型。
【請求項６】
歯形模型が固定される固定用プレートと、前記固定用プレートにその長手方向に間隔をおいて且つその幅方向に２列に植設された複数のダウエルピンと、前記固定用プレートを支持するための支持基台と、を備えた歯科技工用作業模型であって、
前記支持基台は、前記２列の複数のダウエルピンに対応して２列の複数の挿通開口が設けられた上壁と、前記上壁の外周縁部から下方に延びる周側壁とを有し、前記上壁の上面における、前記２列の複数の挿入開口の片側列の前記複数の挿通開口と前記支持基台の片側部との間の部位には、複数の第１内係合突部又は複数の第１内係合凹部が設けられているとともに、前記上壁の前記上面における、前記２列の複数の挿入開口の他側列の前記複数の挿通開口と前記支持基台の他側部との間の部位には、複数の第２内係合突部又は複数の第２内係合突部が設けられており、
また、前記固定用プレートの下面には、前記支持基台側の前記複数の第１及び第２内係合突部又は前記第１及び第２内係合凹部に対応して、複数の第１及び第２内係合凹部又は複数の第１及び第２内係合突部が設けられており、
前記複数の第１及び第２内係合突部は、前記支持基台の前記上面又は前記固定用プレートの前記下面から延びる第１及び第２突部本体と、前記第１及び第２突部本体から延びる第１及び第２小突部とを有し、前記第１及び第２小突部は、前記第１及び第２突部本体よりも小さく構成されており、また前記複数の第１及び第２内係合凹部は、前記複数の第１及び第２内係合突部の前記第１及び第２突部本体に対応して設けられた第１及び第２凹部本体と、前記複数の第１及び第２内係合突部の前記第１及び第２小突部に対応して設けられた第１及び第２小凹部とを有し、前記第１及び第２小凹部は前記第１及び第２凹部本体よりも小さく構成されていることを特徴とする歯科技工用作業模型。
【請求項７】
前記歯形模型は部分歯タイプのものであり、このことに関連して、前記支持基台の前記上壁は細長い略矩形状であり、前記固定用プレートは前記支持基台の前記上壁の形状に対応した細長い略矩形状であり、前記固定プレート側の前記複数のダウエルピンを前記支持基台側の前記複数の挿通開口に挿入することによって、前記固定用プレートが前記支持基台の前記上壁の上面に着脱自在に載置されることを特徴とする請求項１〜６のいずれかに記載の歯科技工用作業模型。
【請求項８】
前記歯形模型は全歯タイプのものであり、このことに関連して、前記支持基台の前記上壁は細長い略Ｕ字形状であり、前記固定用プレートは前支持基台の前記上壁の形状に対応した細長い略Ｕ字形状であり、前記固定用プレート側の前記複数のダウエルピンを前記支持基台側の前記複数の挿通開口に挿入することによって、前記固定用プレートが前記支持基台の前記上壁の上面に着脱自在に載置されることを特徴とする請求項１〜６のいずれかに記載の歯科技工用作業模型。
【発明の詳細な説明】
【技術分野】
【０００１】
本発明は、歯科治療などに用いられる歯科技工用作業模型に関する。
【背景技術】
【０００２】
一般に、歯科治療などに用いられる歯科技工用作業模型は、歯形模型が固定される固定用プレートと、固定用プレートに設けられた複数のダウエルピンと、固定用プレートを支持するための支持基台と、を備えている（例えば、特許文献１参照）。支持基台は合成樹脂から形成され、その上面には、ダウエルピンを挿入するための複数の挿通開口が設けられているとともに、複数の柱状突部が設けられている。これら挿通開口は、支持基台の上面に間隔を置いて配設され、これら挿通開口から挿通貫通孔が延びており、複数の柱状突部は、これら挿入孔の両側に配設されている。固定用プレートは石膏から形成され、その下面には、支持基台側の複数の柱状突部に対応して複数の係合凹部が設けられている。
【０００３】
このような歯科技工用作業模型においては、固定用プレートに植設されたダウエルピンが支持基台の挿通開口を通して挿通貫通孔に挿入され、かく挿入することにより、この固定用プレートが支持基台の上面に支持される。この支持状態では、支持基台の柱状突部と固定用プレートの係合凹部とが相互に係合される。歯形模型は固定用プレートに固定した状態で所要の通りに切断され、切断した固定用プレートのダウエルピンが支持基台の対応する挿通貫通孔に挿入され、このダウエルピンを挿入したり外したりして支持基台の上面で所要の作業（例えば、歯冠補綴物の製作など）が行われる。この支持基台上での作業のとき、切断した固定用プレートの係合凹部と支持基台の柱状突部とが相互に係合されているので、切断した固定用プレートの支持基台に対する相対的回動（即ち、ダウエルピンを中心とする回動）が防止される。
【０００４】
また、合成樹脂から形成された支持基台の両側部に、外側に向けて上方に傾斜する第１傾斜面が設けられ、また石膏から形成された固定用プレートの両側部に、支持基台側の第１傾斜面に対応して、外側に向けて上方に傾斜する第２傾斜面が設けられた歯科技工用作業模型も知られている（例えば、特許文献２参照）。この歯科技工用作業模型では、支持基台の第１傾斜面に、複数の係合凹部が間隔をおいて設けられ、また固定用プレートの第２傾斜面に、複数の係合凹部に対応して、複数の係合凸部が間隔をおいて設けられ、ダウエルピンが支持基台の挿通貫通孔に挿入された状態においては、支持基台の上面に固定用プレートが支持され、その第２傾斜面の複数の係合突部と支持基台の第１傾斜面の複数の係合凹部とが係合される。
【先行技術文献】
【特許文献】
【０００５】
【特許文献１】特開２００９−１００８８０号公報
【特許文献２】特開２０１２−５５５２１号公報
【発明の概要】
【発明が解決しようとする課題】
【０００６】
近年、環境に優しい商品として、使用材料を少なくしたものが広がっており、この歯科技工用作業模型においても、支持基台の材料（例えば、合成樹脂材料）を少なくしたもの、換言すると支持基台の高さが低いものの開発が行われている。この作業模型では、その基本的構造は従来と同様であるが、その支持基台の高さが従来のものよりも低くなっている（この高さが低い分だけ合成樹脂材料の使用量が少なくなる）。
【０００７】
しかし、このように支持基台の高さを低くすると、これに伴ってダウエルピンの長さも短くなり、ダウエルピンの外周面と支持基台の挿通貫通孔の内周面との接触領域の面積も小さくなり、このことに起因して、支持基台とダウエルピンとの間の接触摩擦力も小さくなる。従って、固定用プレートが支持基台から外れ易くなり、例えば、固定用プレートの一部を切断した状態での作業中などにおいて支持基台を逆さすると、この支持基台から切断した固定用プレートが外れ、この切断した固定用プレートが床などに落下して歯科模型が破損するおそれがある。
【０００８】
本発明の目的は、支持基台の高さを低くした場合であってもダウエルピンと支持基台との間の保持力を高め、これによって、ダウエルピンの支持基台からの外れを抑えることができる歯科技工用作業模型を提供することである。
【課題を解決するための手段】
【０００９】
本発明の請求項１に記載の歯科技工用作業模型は、歯形模型が固定される固定用プレートと、前記固定用プレートに植設された複数のダウエルピンと、前記固定用プレートを支持するための支持基台と、を備えた歯科技工用作業模型であって、
前記支持基台は、前記複数のダウエルピンに対応して複数の挿通開口が設けられた上壁と、前記上壁の外周縁部から下方に延びる周側壁とを有しており、
前記支持基台の上面における相互に対向する両側部には、上方に突出する一対の外係合突部又は下方に延びる一対の外係合凹部が設けられ、前記一対の外係合突部又は前記一対の外係合凹部のうちの一方の外係合突部又は一方の外係合凹部と前記複数の挿通開口との間には、複数の第１内係合突部又は複数の第１内係合凹部が間隔をおいて設けられており、
また、前記固定用プレートの下面における相互に対向する両側部には、前記支持基台側の前記一対の外係合突部又は前記一対の外係合凹部に対応して、一対の外係合凹部又は一対の外係合突部が設けられているとともに、前記一対の外係合凹部又は前記一対の外係合突部のうちの一方の外係合凹部又は一方の外係合突部と前記複数のダウエルピンとの間には、前記支持基台側の前記複数の第１内係合突部又は複数の第１内係合凹部に対応して、複数の第１内係合凹部又は複数の第１係合内突部が間隔をおいて設けられており、
前記複数の第１内係合突部は、前記支持基台の前記上面又は前記固定用プレートの前記下面から延びる第１突部本体と、前記第１突部本体から延びる第１小突部とを有し、前記第１小突部は、前記第１突部本体よりも小さく構成されており、
また、前記複数の第１内係合凹部は、前記複数の第１内係合突部の前記第１突部本体に対応して設けられた第１凹部本体と、前記複数の第１内係合突部の前記第１小突部に対応して設けられた第１小凹部とを有し、前記第１小凹部は前記第１凹部本体よりも小さく構成されていることを特徴とする。
また、本発明の請求項２に記載の歯科技工用作業模型では、前記複数の第１内係合突部の前記第１小突部の高さ（ｈ１）は、それらの前記第１突部本体の高さ（Ｈ１）と等しい又はそれよりも小さく（ｈ１≦Ｈ１）、また前記複数の第１内係合凹部の前記第１小凹部の深さ（ｄ１）は、それらの前記第１凹部本体の深さ（Ｄ１）と等しい又はそれよりも小さい（ｄ１≦Ｄ１）ことを特徴する。
また、本発明の請求項３に記載の歯科技工用作業模型では、前記支持基台側の前記一対の外係合突部又は前記一対の外係合凹部のうちの他方の外係合突部又は他方の外係合凹部と前記複数の挿通開口との間には、複数の第２内係合突部又は複数の第２内係合凹部が間隔をおいて設けられ、また前記固定用プレート側の前記一対の外係合凹部又は前記一対の外係合突部のうちの他方の外係合凹部又は他方の外係合突部と前記複数のダウエルピンとの間には、前記支持基台側の前記複数の第２内係合突部又は前記複数の第２内係合凹部に対応して、複数の第２内係合凹部又は複数の第２内係合突部が間隔をおいて設けられており、
前記複数の第２内係合突部は、前記支持基台の前記上面又は前記固定用プレートの前記下面から延びる第２突部本体と、前記第２突部本体から延びる第２小突部とを有し、前記第２小突部は前記第２突部本体よりも小さく構成され、また前記複数の第２内係合凹部は、前記複数の第２内係合突部の前記第２突部本体に対応して設けられた第２凹部本体と、前記複数の第２内係合突部の前記第２小突部に対応して設けられた第２小凹部とを有し、前記第２小凹部は前記第２凹部本体よりも小さく構成されていることを特徴とする。
また、本発明の請求項４に記載の歯科技工用作業模型では、前記複数の第２内係合突部の前記第２小突部の高さ（ｈ２）は、それらの前記第２突部本体の高さ（Ｈ２）と等しい又はそれよりも小さく（ｈ２≦Ｈ２）、また前記複数の第２内係合凹部の前記第２小凹部の深さ（ｄ２）は、それらの前記第２凹部本体（Ｄ２）の深さと等しい又はそれよりも小さい（ｄ２≦Ｄ２）ことを特徴する。
また、本発明の請求項５に記載の歯科技工用作業模型では、前記支持基台側の両側部に前記一対の外係合突部が設けられ、前記一対の外係合突部の内面は、内側に向けて下方に傾斜する内傾斜面を有し、前記内傾斜面には、その長手方向に間隔をおいて複数の補助係合凹部が設けられており、
また、前記固定用プレートの両側部に前記一対の外係合凹部が設けられ、前記一対の外係合凹部の外面は、前記一対の外係合突部の前記内傾斜面に対応して、外側に向けて上方に傾斜する外傾斜面を有し、前記外傾斜面には、前記内傾斜面側の前記複数の補助係合凹部に対応して、その長手方向に間隔をおいて複数の補助係合突部が設けられていることを特徴とする。
また、本発明の請求項６に記載の歯科技工用作業模型は、歯形模型が固定される固定用プレートと、前記固定用プレートにその長手方向に間隔をおいて且つその幅方向に２列に植設された複数のダウエルピンと、前記固定用プレートを支持するための支持基台と、を備えた歯科技工用作業模型であって、
前記支持基台は、前記２列の複数のダウエルピンに対応して２列の複数の挿通開口が設けられた上壁と、前記上壁の外周縁部から下方に延びる周側壁とを有し、前記上壁の上面における、前記２列の複数の挿入開口の片側列の前記複数の挿通開口と前記支持基台の片側部との間の部位には、複数の第１内係合突部又は複数の第１内係合凹部が設けられているとともに、前記上壁の前記上面における、前記２列の複数の挿入開口の他側列の前記複数の挿通開口と前記支持基台の他側部との間の部位には、複数の第２内係合突部又は複数の第２内係合突部が設けられており、
また、前記固定用プレートの下面には、前記支持基台側の前記複数の第１及び第２内係合突部又は前記第１及び第２内係合凹部に対応して、複数の第１及び第２内係合凹部又は複数の第１及び第２内係合突部が設けられており、
前記複数の第１及び第２内係合突部は、前記支持基台の前記上面又は前記固定用プレートの前記下面から延びる第１及び第２突部本体と、前記第１及び第２突部本体から延びる第１及び第２小突部とを有し、前記第１及び第２小突部は、前記第１及び第２突部本体よりも小さく構成されており、また前記複数の第１及び第２内係合凹部は、前記複数の第１及び第２内係合突部の前記第１及び第２突部本体に対応して設けられた第１及び第２凹部本体と、前記複数の第１及び第２内係合突部の前記第１及び第２小突部に対応して設けられた第１及び第２小凹部とを有し、前記第１及び第２小凹部は前記第１及び第２凹部本体よりも小さく構成されていることを特徴とする。
また、本発明の請求項７に記載の歯科技工用作業模型では、前記歯形模型は部分歯タイプのものであり、このことに関連して、前記支持基台の前記上壁は細長い略矩形状であり、前記固定用プレートは前記支持基台の前記上壁の形状に対応した細長い略矩形状であり、前記固定プレート側の前記複数のダウエルピンを前記支持基台側の前記複数の挿通開口に挿入することによって、前記固定用プレートが前記支持基台の前記上壁の上面に着脱自在に載置されることを特徴とする。
更に、本発明の請求項８に記載の歯科技工用作業模型では、前記歯形模型は全歯タイプのものであり、このことに関連して、前記支持基台の前記上壁は細長い略Ｕ字形状であり、前記固定用プレートは前支持基台の前記上壁の形状に対応した細長い略Ｕ字形状であり、前記固定用プレート側の前記複数のダウエルピンを前記支持基台側の前記複数の挿通開口に挿入することによって、前記固定用プレートが前記支持基台の前記上壁の上面に着脱自在に載置されることを特徴とする。
【発明の効果】
【００１０】
本発明の請求項１に記載の歯科技工用作業模型によれば、支持基台の上面の両側部に一対の外係合突部（又は一対の外係合凹部）が設けられ、これら外係合突部（又は外係合凹部）のうちの一方の外係合突部（又は一方の外係合凹部）と複数の挿通開口との間に複数の第１内係合突部（又は複数の第１内係合凹部）が間隔をおいて設けられ、また固定用プレートの下面の両側部に一対の外係合凹部（又は一対の外係合突部）が設けられ、一対の外係合凹部（又は前記一対の外係合突部）のうちの一方の外係合凹部（又は外係合突部）と複数のダウエルピンとの間に複数の第１内係合凹部（又は複数の第１内係合突部）が間隔をおいて設けられているので、複数のダウエルピンを支持基台側の複数の挿通開口内に挿入して固定用プレートを装着すると、支持基台側の一対の外係合突部（又は一対の外係合凹部）と固定用プレート側の一対の外係合凹部（又は外係合突部）とが相互に係脱自在に係合されるとともに、支持基台側の複数の第１内係合突部（又は複数の第１内係合凹部）と固定用プレート側の複数の第１内係合凹部（又は複数の第１内係合突部）とが相互に係脱自在に係合される。
【００１１】
更に、複数の第１内係合突部は、支持基台の上壁の上面（又は固定用プレートの下面）から延びる第１突部本体と、この第１突部本体から延びる第１小突部とを有し、また複数の第１内係合凹部は、複数の第１内係合突部の第１突部本体に対応して設けられた第１凹部本体と、複数の第１内係合突部の第１小突部に対応して設けられた第１小凹部とを有しているので、上述したように固定用プレートを支持基台に装着すると、支持基台側（又は固定用プレート側）の複数の第１内係合突部の第１突部本体及び第１小突部が固定用プレート側（又は支持基台側）の第１内係合凹部の第１凹部本体及び第１小凹部に係脱自在に係合される。
【００１２】
固定用プレートが支持基台にこのように装着されるので、支持基台側の複数の挿通開口と固定用プレート側の複数のダウエルピンとの間の摩擦保持力に加えて、支持基台側の一対の外係合突部（又は一対の外係合凹部）と固定用プレート側の一対の外係合凹部（又は一対の外係合突部）との間の摩擦保持力、更には複数の第１内係合突部の第１突部本体及び第１小突部と複数の第１内係合凹部の第１凹部本体及び第１小凹部との間の摩擦保持力によって所望の保持力が得られ、これによって、ダウエルピンの長さが短い（即ち、挿通開口の内周面とダウエルピンの外周面との接触領域が小さい）場合であっても、支持基台に対して固定用プレートを所要の通りに保持することができ、例えば固定用プレートを一部切断した状態での作業中などにおいて支持基台を逆さにしてもダウエルピンが挿通開口から離脱することを抑えることができる。
【００１３】
また、本発明の請求項２に記載の歯科技工用作業模型によれば、複数の第１内係合突部の第１小突部の高さ（ｈ１）が第１突部本体の高さ（Ｈ１）と等しい又はそれよりも小さく構成され（ｈ１≦Ｈ１）、また複数の第１内係合凹部の第１小凹部の深さ（ｄ１）が第１凹部本体（Ｄ１）の深さと等しい又はそれよりも小さく構成されている（ｄ１≦Ｄ１）ので、支持基台に固定用プレートを装着した状態において、複数の第１内係合突部と複数の第１内係合凹部との間に適度の摩擦保持力を得ることができる。
【００１４】
また、本発明の請求項３に記載の歯科技工用作業模型によれば、支持基台側の他方の外係合突部（又は他方の外係合凹部）と複数の挿通開口との間に複数の第２内係合突部（又は複数の第２内係合凹部）が間隔をおいて設けられ、また固定用プレート側の他方の外係合凹部（又は他方の外係合突部）と複数のダウエルピンとの間に複数の第２内係合凹部（又は複数の第２内係合突部）が間隔をおいて設けられ、更にこれら第２内係合突部は、支持基台（又は固定用プレート）から延びる第２突部本体と、第２突部本体から延びる第２小突部とを有し、またこれら第２内係合凹部は、複数の第２内係合突部の第２突部本体に対応して設けられた第２凹部本体と、第２内係合突部の第２小突部に対応して設けられた第２小凹部とを有しているので、固定用プレートを支持基台に装着すると、支持基台側（又は固定用プレート側）の複数の第２内係合突部の第２突部本体及び第２小突部が固定プレート側（又は支持基台側）の第２内係合凹部の第２凹部本体及び第２小凹部に係脱自在に係合され、これにより、支持基台と固定用プレートとの間により大きい摩擦保持力が得られ、ダウエルピンの長さを短くしても所望の摩擦保持力を確保することができる。
【００１５】
また、本発明の請求項４に記載の歯科技工用作業模型によれば、複数の第２内係合突部の第２小突部の高さ（ｈ２）が第２突部本体の高さ（Ｈ２）と等しい又はそれよりも小さく構成され（ｈ２≦Ｈ２）、また複数の第２内係合凹部の第２小凹部の深さ（ｄ２）が第２凹部本体（Ｄ２）の深さと等しい又はそれよりも小さく構成されている（ｄ２≦Ｄ２）ので、支持基台に固定用プレートを装着した状態において、複数の第２内係合突部と複数の第２内係合凹部との間に適度に充分な摩擦保持力を得ることができる。
【００１６】
また、本発明の請求項５に記載の歯科技工用作業模型によれば、支持基台側の一対の外係合突部の内面は内側に向けて下方に傾斜する内傾斜面を有し、この内傾斜面に複数の補助係合凹部が設けられ、また固定用プレートの一対の外係合凹部の外面は外側に向けて上方に傾斜する外傾斜面を有し、この外傾斜面には複数の補助係合突部が設けられているので、支持基台に固定用プレートを装着すると、支持基台側の一対の外係合突部と固定用プレート側の一対の外係合凹部とが相互に係脱自在に係合するとともに、一対の外係合突部側の複数の補助係合凹部と一対の外係合凹部側の複数の補助係合突部とが相互に係脱自在に係合し、これによって、支持基台と固定用プレートとの間により大きな摩擦保持力を得ることができ、ダウエルピンの長さをより短くすることが可能となる。
【００１７】
また、本発明の請求項６に記載の歯科技工用作業模型によれば、支持基台は、２列の複数のダウエルピンに対応して２列の複数の挿通開口が設けられた上壁と、この上壁の外周縁部から下方に延びる周側壁とを有し、片側列の複数の挿通開口と支持基台の片側部との間の部位に複数の第１内係合突部（又は複数の第１内係合凹部）が設けられているとともに、他側列の複数の挿通開口と支持基台の他側部との間の部位に複数の第２内係合突部（又は複数の第２内係合凹部）が設けられているので、２列の複数の複数のダウエルピンを支持基台側の２列の複数の挿通開口内に挿入して固定用プレートを装着すると、支持基台側の第１及び第２内係合突部（又は第１及び第２内係合凹部）と固定用プレート側の第１及び第２内係合凹部（又は第１及び第２内係合突部）とが相互に係脱自在に係合される。
【００１８】
更に、複数の第１及び第２内係合突部は、支持基台の上壁の上面（又は固定用プレートの下面）から延びる第１及び第２突部本体と、この第１及び第２突部本体から延びる第１及び第２小突部とを有し、また複数の第１及び第２内係合凹部は、複数の第１及び第２内係合突部の第１及び第２突部本体に対応して設けられた第１及び第２凹部本体と、複数の第１及び第２内係合突部の第１及び第２小突部に対応して設けられた第１及び第２小凹部とを有しているので、上述したように固定用プレートを支持基台に装着すると、複数の第１及び第２内係合突部の第１及び第２突部本体並びに第１及び第２小突部が第１内係合凹部の第１及び第２凹部本体並びに第１及び第２小凹部に係脱自在に係合される。
【００１９】
固定用プレートが支持基台にこのように装着されるので、支持基台側の２列の複数の挿通開口と固定用プレート側の２列の複数のダウエルピンとの間の摩擦保持力に加えて、第１及び第２内係合突部（即ち、第１及び第２突部本体並びに第１及び第２小突部）と複数の第１及び第２内係合凹部（即ち、第１及び第２凹部本体並びに第１及び第２小凹部）との間の摩擦保持力によって所望の保持力が得られ、このように構成しても、上述したと同様に、ダウエルピンの長さが短い場合であっても、支持基台に対して固定用プレートを所要の通りに保持することができる。
【００２０】
また、本発明の請求項７に記載の歯科技工用作業模型によれば、歯形模型としての部分歯タイプのもの好都合に適用することができ、このことに関連して、支持基台の上壁は細長い略矩形状に形成され、固定用プレートは、支持基台の上壁の形状に対応した細長い略矩形状に形成される。
【００２１】
更に、本発明の請求項８に記載の歯科技工用作業模型によれば、歯形模型は全歯タイプのものに好都合に適用することができ、このことに関連して、支持基台の上壁は細長い略Ｕ字状に形成され、固定用プレートは、支持基台の上壁の形状に対応した細長い略Ｕ字状に形成される。
【図面の簡単な説明】
【００２２】
【図１】本発明に従う歯科技工用作業模型の第１の実施形態を背面側から見た斜視図。
【図２】図１の歯科技工用作業模型において、支持基台から固定用プレートを離脱させた状態を正面側から見た斜視図。
【図３】図１の歯科技工用作業模型の支持基台を示す平面図。
【図４】図３の支持基台を示す正面図。
【図５】図３の支持基台を示す底面図。
【図６】図３におけるＶＩ−ＶＩ線による断面図。
【図７】支持基台に成型用基枠を装着して固定用プレートを成形する作業を説明するための説明図。
【図８】図３の支持基台の一部を拡大して示す部分拡大斜視図。
【図９】図９（ａ）は、図８におけるＡ１−Ａ１線による断面図、図９（ｂ）は、図８におけるＢ１−Ｂ１線による断面図。
【図１０】第１変形形態の支持基台の一部を拡大して示す部分拡大斜視図。
【図１１】図１１（ａ）は、図１０におけるＡ２−Ａ２線による断面図、図１１（ｂ）は、図１０におけるＢ２−Ｂ２線による断面図。
【図１２】第２の変形形態の支持基台の一部を拡大して示す部分拡大斜視図。
【図１３】図１３（ａ）は、図１２におけるＡ３−Ａ３線による断面図、図１３（ｂ）は、図１２におけるＢ３−Ｂ３線による断面図。
【図１４】第２の実施形態の歯科技工用作業模型における支持基台を示す平面図。
【図１５】第３の実施形態の歯科技工用作業模型における支持基台を示す平面図。
【図１６】第４の実施形態の歯科技工用作業模型における支持基台を示す斜視図。
【図１７】図１６の支持基台を示す平面図。
【図１８】図１６の支持基台を示す底面図。
【図１９】図１７におけるＸＩＸ−ＸＩＸ線による拡大断面図。
【図２０】図１６の支持基台の一部を拡大して示す部分拡大斜視図。
【図２１】第５の実施形態の歯科技工用作業模型における支持基台を示す平面図。
【図２２】第６の実施形態の歯科技工用作業模型における支持基台を示す平面図。
【図２３】第７の実施形態の歯科技工用作業模型における支持基台を示す斜視図。
【図２４】第７の実施形態の歯科技工用作業模型における固定用プレートを底面側から見た斜視図。
【図２５】図２３の支持基台に図２４の固定用プレートを装着した状態の一部を拡大して示す部分拡大断面図。
【図２６】第８の実施形態の歯科技工用作業模型における支持基台を示す平面図。
【発明を実施するための形態】
【００２３】
以下、添付図面を参照して、本発明に従う歯科技工用作業模型の各種実施形態について説明する。
【００２４】
〔第１の実施形態〕
まず、図１〜図９を参照して第１の実施形態の歯科技工用作業模型について説明する。図１〜図３において、図示の歯科技工用作業模型２は、歯形模型４が固定される固定用プレート６と、固定用プレート６に植設された複数（図示の形態では、５本）のダウエルピン８と、固定用プレート６を支持するための支持基台１０と、を備えている。
支持基台１０は基台本体１２を備え、この基台本体１２は、例えばポリエチレン樹脂、ポリプロピレン樹脂、ナイロン樹脂、ウレタン樹脂などの合成樹脂から形成される。この基台本体１２は、所定方向（図１及び図３において左右方向、図２において左上から右下の方向）に細長い略矩形状の上壁１４を有し、この上壁１４の外周縁部には、下方に延びる周側壁１６が設けられている。この上壁１４には、その長手方向（即ち、上記所定方向）に間隔をおいて複数（この形態では、５つ）の挿入開口１８が設けられ、これら挿入開口１８は、固定用プレート６側の複数のダウエルピン８に対応して設けられる。
【００２５】
基台本体１２の上壁１４の内面（下面）には、各挿入開口１８に対応して突出部２０（図５参照）が設けられ、かかる突出部２０には、挿入開口１８から下方に貫通して延びる挿通貫通孔２２が設けられ、固定用プレート６側の複数のダウエルピン８は、後述するように、基台本体１２の対応する挿入開口１８を通して挿通貫通孔２２内に挿通される。この形態では、各挿通貫通孔２２は、図６及び図７に示すように、先端に向けて（図６及び図７において下方に向けて）内径が漸減する先細のテーパ状に形成されている。
【００２６】
基台本体１２の周側壁１６の下端は、上壁１４から下方に延びる各突出部２０の先端よりも長く、テーブル（図示せず）などに載置したときには、周側壁１６の下端がテーブル面（図示せず）に載置され、突出部２０の先端がテーブル面の上方に位置し、テーブル面に接触することがない。また、固定用プレート６側の複数のダウエルピン８を基台本体１２側の対応する挿通貫通孔２２内に挿通した状態では、各ダウエルピン８の先端部は挿通貫通孔２２を通して突出部２０から下方に幾分突出するが、この突出部２０から突出する先端部がテーブル面に接触することがない（図６参照）。
【００２７】
この実施形態では、上壁１４の上面における相互に対向する両側部に一対の外係合突部２４，２６が設けられ、これら一対の外係合突部２４，２６は、基台本体１２の長手方向に相互に略平行に延びている。一対の外係合突部２４，２６の内面は、内側に向けて下方に傾斜する内傾斜面２８，３０を有している。片方（図３において下側、図６において左側）の内傾斜面２８は、片方の外係合突部２４の上端から内側に向けて下方に基台本体１２の上壁１４の上面まで傾斜して延び、他方（図３において上側，図６において右側）の内傾斜面３０は、他方の外係合突部２６の上端から内側に向けて下方に基台本体１２の上壁１４の上面まで傾斜して延びている。
【００２８】
これら外係合突部２４，２６及び内傾斜面２８，３０は、基台本体１２の中間部（即ち、長手方向両端部を除く部位）にその長手方向に沿って延びるように設けられ、これら内傾斜面２８，３０には、その長手方向（図２において左上から右下の方向、図３において左右方向、図６において紙面に垂直な方向）に間隔をおいて複数の補助係合凹部３２，３４が設けられ、この形態では略半円状に形成されている。
【００２９】
また、基台本体１２の周側壁１６の外面には、複数の挿通貫通孔２２に対応して（換言すると、固定用プレート６の装着状態において、これに設けられた複数のダウエルピン８に対応して）位置決め用突部３６が設けられ、この位置決め用突部３６は、一対の挿通貫通孔２２を挟んでそれらの両側に配設されている。また、基台本体１２の両端部には、これら位置決め用突部３６と同じ高さ位置に補助位置決め突部３８が設けられている。基台本体１２の両端部には、更に、作業模型用ホルダ（図示せず）にスライドさせて取り付けるための一対の取付用スリット４０が設けられている（図４参照）。
【００３０】
この実施形態では、更に、基台本体１２の上壁１４の上面に、複数の挿通開口１８を挟んで両側に内係合突部列４２，４４が設けられている。一方の内係合突部列４２（第１内係合突部列）は、一方の外係合突部２４（内傾斜面２８）と複数の挿通開口１８との間に設けられ、一方の外係合突部２４（又は複数の挿通開口１８）にほぼ沿って間隔をおいて設けられた複数の第１内係合突部４６から構成されている。また、他方の内係合突部列４４（第２内係合突部列）は、他方の外係合突部２６（内傾斜面３０）と複数の挿通開口１８との間に設けられ、他方の外係合突部２６（又は複数の挿通開口１８）にほぼ沿って間隔をおいて設けられた複数の第２内係合突部４８から構成されている。第１及び第２内係合突部４６，４８の構成については、後に詳述する。
【００３１】
次に、固定用プレート６について説明すると、この固定用プレート６は石膏から形成され、基台本体１２の上壁１４の形状に対応した細長い略矩形状を有している。この固定用プレート６には、基台本体１２側の各挿入開口１８（挿通貫通孔２２）に対応して複数（この形態では、５本）のダウエルピン８が植設されている。これらダウエルピン８の各々は、各挿通貫通孔２２の内径が先端に向けて漸減する先細のテーパ状に形成されていることに対応して、その基端部から先端部にわたって外径が漸減する先細のテーパ状に形成されている。
【００３２】
この固定用プレート６は、複数のダウエルピン８を支持基台１０側の対応する挿通貫通孔２２に挿入することによって、支持基台１０の上壁１４の上面に載置して装着されることに関連して、更に、次の通りに構成されている。即ち、固定用プレート６の下面における相互に対向する両側部には、支持基台１０側の一対の外係合突部２４，２６に対応して、一対の外係合凹部５０，５２が設けられ（図６参照）、これら外係合凹部５０，５２は上記長手方向（図６において紙面に垂直な方向）に延びている。また、これら外係合凹部５０，５２の外面は、支持基台１０側の一対の外係合突部２４，２６の内傾斜面２８，３０に対応して、外側に向けて上方に傾斜する外傾斜面５４，５６を有している。片方（図６において左側）の外傾斜面５０は、固定用プレート６の下面から外側に向けて上方に片方の外係合凹部５０の底面まで傾斜して延び、他方（図６において右側）の外傾斜面５２は、固定用プレート６の下面から外側に向けて上方に他方の外係合凹部５２の底面まで傾斜して延びている。
【００３３】
これら外係合凹部５０，５２及び外傾斜面５４，５６は、固定用プレート６の中間部（即ち、長手方向両端部を除く部位）にその長手方向に沿って延びるように設けられており、これら外傾斜面５４，５６には、支持基台１０側の補助係合凹部３２，３４に対応して、その長手方向（図６において紙面に垂直な方向）に間隔をおいて複数の補助係合突部（図示せず）が設けられ、この形態では略半円柱状に形成される。
【００３４】
更に、固定用プレート６の下面には、支持基台１０側の一対の内係合突部列４２，４４（第１及び第２内係合突部列）に対応して、一対の内係合凹部列６０，６２（図６参照）が設けられている。図６から理解されるように、一方の内係合凹部列６０（第１内係合凹部列）は、一方の外係合凹部５０（外傾斜面５４）と複数のダウエルピン８との間に設けられ、一方の外係合凹部５０（又は複数のダウエルピン８）にほぼ沿って間隔をおいて設けられた複数の第１内係合凹部６４から構成されている。また、他方の内係合突部列６２（第２内係合凹部列）は、他方の外係合凹部５２（外傾斜面５６）と複数のダウエルピン８との間に設けられ、他方の外係合凹部５２（又は複数のダウエルピン８）にほぼ沿って間隔をおいて設けられた複数の第２内係合凹部６６から構成されている。第１及び第２内係合凹部６４，６６の構成については、後に詳述する。
【００３５】
次に、主として図２及び図６とともに図８及び図９を参照して、第１及び第２内係合突部列４２，４４並びに第１及び第２内係合凹部列６０，６２について説明する。基台本体１２側に設けられた第１及び第２内係合突部列４２，４４は実質上同一の構成であり、以下第２内係合突部列４４（第１内係合突部列４２）について説明する。尚、図３に示すように、第１内係合突部列４２は、片方の外係合突部２４に沿って幾分湾曲して延びているのに対し、第２内係合突部列４４は、他方の外係合突部２６に沿ってほぼ直線状に延びている。
【００３６】
第２内係合突部列４４（第１内係合突部列４２）は、複数の第２内係合突部４８（第１内係合突部４６）から構成され、各第２内係合突部４８（第１内係合突部４６）は、基台本体１２の上壁１４の上面から上方に延びる第２突部本体７０（第１突部本体６８）と、この第２突部本体７０（第１突部本体６８）の上面から上方に延びる第２小突部７４（第１小突部７２）を有している。第２小突部７４（第１小突部７２）は第２突部本体７０（第１突部本体６８）よりも小さく、この形態では、第２小突部７４（第１小突部７２）の外形全体が第２突部本体７０（第１突部本体６８）の外形全体よりも小さくなっている。
【００３７】
図９（ａ）に示すように、第２小突部７４（第１小突部７２）の長さｌ２（ｌ１）は、第２突部本体７０（第１突部本体６８）の長さＬ２（Ｌ１）よりも小さく〔ｌ２（ｌ１）＜Ｌ２（Ｌ１）〕、図９（ｂ）に示すように、第２小突部７４（第１小突部７２）の幅ｗ２（ｗ１）は、第２突部本体７０（第１突部本体６８）の幅Ｗ２（Ｗ１）よりも小さい〔ｗ２（ｗ１）＜Ｗ２（Ｗ１）〕。また、第２小突部７４（第１小突部７２）の高さｈ２（ｈ１）は、第２突部本体７０（第１突部本体６８）の高さＨ２（Ｈ１）と等しい又はこれよりも小さく形成される〔ｈ２（ｈ１）≦Ｈ２（Ｈ１）〕。尚、第１内係合突部列４２の第１内係合突部４６に関する各種寸法（長さＬ１，ｌ１、幅Ｗ１，ｗ１及び高さＨ１，ｈ１）については、図示していない。
【００３８】
この実施形態では、第２突部本体７０（第１突部本体６８）の長さＨ２（Ｈ１）は、例えば２〜４ｍｍ程度に、その幅Ｗ２（Ｗ１）は、例えば１〜２ｍｍ程度に、その高さＨ２（Ｈ１）は、０．５〜１．５ｍｍ程度に形成され、また第２小突部７４（第１小突部７２）の長さｈ２（ｈ１）は、例えば１．５〜３．５ｍｍ程度に、その幅ｗ２（ｗ１）は、例えば０．５〜１．５ｍｍ程度に、その高さｈ２（ｈ１）は、例えば０．５〜１ｍｍ程度に形成される。また、第２内係合突部４８（第１内係合突部４６）のピッチＰ２（Ｐ１）（図３参照）は、例えば４〜５ｍｍ程度に設定される。更に、第１内係合突部４６の高さ（Ｈ１＋ｈ１）は、一方の外係合突部２４の高さよりも幾分低く形成され、また第２内係合突部４８の高さ（Ｈ２＋ｈ２）は、他方の外係合突部２６の高さよりも幾分低く形成される。
【００３９】
第１及び第２内係合凹部列６０，６２は、それらの一部を図示するのみであるが、第１及び第２内係合突部列４２，４４に対応する構成となっている。図６及び図９を参照して概説すると、第２内係合凹部列６２（第１内係合凹部列６０）は、複数の第２内係合凹部６６（第１内係合凹部６４）から構成され、各第２内係合凹部６６（第１内係合凹部６４）は、固定用プレート６の下面から上方に延びる第２凹部本体６７（第１凹部本体）と、この第２凹部本体６７（第１凹部本体）の底面から上方に延びる第２小凹部６９（第１小凹部）を有している。第２小凹部６９（第１小凹部）は第２凹部本体６７（第１凹部本体）よりも小さく、この形態では、第２小凹部６９（第１小凹部）の全体が第２凹部本体６７（第１凹部本体）よりも小さくなっている。
【００４０】
図９（ａ）及び図９（ｂ）から理解されるように、第２小凹部６９（第１小凹部）の長さｌ２（ｌ１）は、第２凹部本体６７（第１凹部本体）の長さＬ２（Ｌ１）よりも小さく〔ｌ２（ｌ１）＜Ｌ２（Ｌ２）〕、第２小凹部６９（第１小凹部）の幅ｗ２（ｗ１）は、第２凹部本体６７（第１凹部本体）の幅Ｗ２（Ｗ１）よりも小さい〔ｗ２（ｗ１）＜（Ｗ２（Ｗ１）〕。また、第２小凹部６９（第１小凹部）の深さｄ２（ｄ１）は、第２凹部本体６７（第１凹部本体）の深さＤ２（Ｄ１）と等しい又はこれよりも小さく形成される〔ｄ２（ｄ１）≦Ｄ２（Ｄ１）〕。尚、第１内係合凹部列６０の第１内係合凹部６４に関する各種寸法（長さＬ１，ｌ１、幅Ｗ１，ｗ１及び深さＤ１，ｄ１）については、図示していない。また、第１及び第２内係合凹部列６０，６２の第１及び第２内係合凹部６４，６６の各種寸法については、第１及び第２内係合突部列４２，４４の第１及び第２内係合突部４６，４８における上述の各種寸法から容易に理解できるであろう。
この歯科技工用作業模型２は、例えば、次のようにして製作される。図１、図２及び図７を参照して、歯型（図示せず）に石膏を流し込んで歯形模型４を製作するとともに、合成樹脂による射出成型によって支持基台１０を製作し、別個に製作した歯形模型４及び支持基台１０を用いて作業模型２を製作する。図７に示すように、支持基台１０の基台本体１２の各挿通貫通孔２２にダウエルピン８を先端側から着脱自在に挿入する（ピン挿入工程）。このように挿入すると、ダウエルピン８の基端部は、基台本体１２の上壁１４から上方に所定長さ（例えば、約４ｍｍ程度）突出する。尚、ダウエルピン８の基端突出部には、固定用プレート６との結合強度を高めるために、例えばローレット加工などを施すのが好ましい（図６、図７参照）。
次いで、基台本体１２の上部に成型用基枠８２を着脱自在に装着する（枠装着工程）。ここで、枠装着工程で用いる成型用基枠８２について説明すると、成型用基枠８２は全体として略矩形状の外形を有し、例えばシリコンゴムや合成ゴムなどのゴム材料から形成される。成型用基枠８２の内側には上下に貫通する貫通開口８４が設けられ、この貫通開口８４は、基台本体１２の上部の形状に対応した形状を有している。
成型用基枠８２を基台本体１２の上部に装着すると、基台本体１２の上壁１４及び周側壁１６の上端部が成型用基枠８２の貫通開口８４の下端部に挿入され、成型用基枠８２の内周面が基台本体１２の周側壁１６の外周面に密着するようになる。かく装着すると、成型用基枠８２の下端部が基台本体１２側の位置決め用突部３６及び補助位置決め突部３８に当接し、かく当接することにより、成型用基枠８２が基台本体１２に対して所定の位置関係に位置決めされる。この装着状態では、成型用基枠８２は、基台本体１２の上壁１４から上方に所定高さ（例えば、約８ｍｍ程度）突出し、基台本体１２の上面及び成型用基枠８２の内周面によって、石膏を注入する注入空間８６が規定される。
次に、固定用プレート６を成型するための石膏をこの注入空間８２に注入する（プレート成形工程）。この石膏は、ダウエルピン８の基端部が石膏に完全に浸漬されるまで注入される。このとき、基台本体１２の上壁１４の両端部には外係合突部２４，２６が存在しないので、注入した石膏は上壁１４の両端部に流れるようになり、この石膏を上壁１４の全域にほぼ均一に注入することができる。そして、注入空間８６内の石膏が硬化することにより、ダウエルピン８が植設された固定用プレート６が成形される。
【００４１】
このように成形すると、図６及び図７から理解されるように、支持基台１０側の一対の外係合突部２４，２６、内傾斜面２８，３０及び補助係合凹部３２，３４にそれぞれ対応して、固定用プレート６側に一対の外係合凹部５０，５２、外傾斜面５４，５６及び補助係合突部（図示せず）が成形される。更に、支持基台１０側の第１及び第２内係合突部列４２，４４に対応して、固定用プレート６側に第１及び第２内係合凹部列６０，６２が成形される。即ち、第１内係合突部列４２の複数の第１内係合突部４６（第１突部本体６８及び第１小突部７２）に対応して、固定用プレート６側に第１内係合凹部列６０の複数の第１内係合凹部６４（第１凹部本体及び第１小凹部）が成形され、第２内係合突部列４４の複数の内係合突部４８（第１突部本体７０及び第１小突部７４）に対応して、固定用プレート６側に第２内係合凹部列６２の複数の第２内係合凹部６６（第２凹部本体６７及び小第２小凹部６９）が成形される。
【００４２】
このように固定用プレート６を成形した後、成型用基枠８２を基台本体１２の上部から取り外し、固定用プレート６の上面に例えば研削加工を施して平坦となるように加工する（研削加工工程）。この研削加工は、例えば、固定用プレート６を基台本体１２の上面に支持させた状態で行われ、ダウエルピン８の基端面が外部に露出するまで行われ、このようにして歯科技工用模型を製作することができる。
【００４３】
上述したようにして歯科技工用模型を製作した後、固定用プレート６の上面に歯形模型４、即ち部分歯タイプのものを接着剤などを用いて固定する（模型固定工程）。その後、固定用プレート６を基台本体１２に支持させた状態で、例えば、図１に一点鎖線で示す切断線８８に沿って歯形模型４の所定部位（即ち、隣接する一対のダウエルピン８の間の部位）を固定用プレート６とともに切断工具（図示せず）を用いて切断する（模型切断工程）。このように切断することによって、歯形模型４の切断した特定部位を固定用プレート６及びダウエルピン８とともに残りの部位から取り出すことができ、特定部位をこのように基台本体１２に装着、離脱することにより所望の作業を行うことができる。尚、上述したように、基台本体１２には挿入貫通孔２２に対応して位置決め用突部３４が設けられているので、歯形模型４を切断する際に、この位置決め用突部３４を目印としてダウエルピン８の配設箇所を容易に確認することができる。
【００４４】
上述した作業模型２では、固定用プレート６側の複数のダウエルピン８を支持基台１０側の挿通貫通孔２２に挿入することによって、固定用プレート６（これに固定した歯形模型４）を支持基台１０の上面に着脱自在に装着することができる。この装着状態においては、上述した記載から理解される如く、支持基台１０側の一対の外係合突部２４，２６及びそれらの補助係合凹部３２，３４と固定用プレート６側の一対の外係合凹部５０，５２及びそれらの補助係合突部（図示せず）とがそれぞれ係脱自在に係合するとともに、固定用プレート６側の外係合凹部５０，５２の外傾斜面５４，５６が支持基台１０側の一対の外係合突部２４，２６の内傾斜面２８，３０に接触してそれらの内側に位置する。また、支持基台１０側の一対の内係合突部列４２，４４（第１及び第２内係合突部列）の複数の第１及び第２内係合突部４６，４８（第１及び第２突部本体６８，７０並びに第１及び第２小突部７２，７４）と固定用プレート６側の一対の内係合凹部列６０，６２（第１及び第２内係合凹部列）の複数の第１及び第２内係合凹部６４，６６（第１及び第２凹部本体６７並びに第１及び第２小凹部６９）とが係脱自在に係合する。従って、基台本体１２側の上面と固定用プレート６の下面とが充分な接触面積でもって係合され、これによって、両者間に充分な接触摩擦力が得られ、ダウエルピン８の長さを短くしても充分な保持力を得ることができる。
【００４５】
この第１の実施形態では、図３に示すように、一方の外係合突部２４側の複数の補助係合凹部３２と他方の外係合突部２６側の補助係合凹部３４とを相互に対向して位置するように設けているが、このような構成に限定されず、一方側の複数の補助係合凹部３２と他方側の複数の補助係合凹部３４とを支持基台１０の長手方向にずらして設けるようにしてもよく、或いは一方側の複数の補助係合凹部３２と他方側の複数の補助係合凹部３４とのピッチを変えて設けるようにしてもよい。
【００４６】
また、この実施形態では、模型固定工程において、固定用プレート６の上面に歯形模型４を接着剤などを用いて固定するようにしているが、このような構成に限定されず、成形前の固定用プレート６（即ち、硬化前の石膏）に歯形模型４を押し付け、注入した石膏の硬化により固定用プレート６の上面に歯形模型４を固定するようにしてもよい。
【００４７】
また、支持基台側の第１及び第２内係合突部列の複数の第１及び第２内係合突部と固定用プレート側の第１及び第２内係合凹部列の複数の第１及び第２内係合凹部とを図１０及び図１１に示すように、或いは図１２及び図１３に示すように構成することもできる。尚、以下の各種の変形形態及び実施形態において、上述した第１の実施形態と実質上同一の部材には同一の参照番号を付し、その説明を省略する。
【００４８】
図１０及び図１１において、第１の変形形態の支持基台１０Ａでは、第２内係合突部列４４Ａ及び第２内係合凹部列６２Ａに修正が施されている。第２内係合突部列４４Ａの複数の第２内係合突部４８Ａは、基台本体１２Ａの上壁１４から上方に延びる第２突部本体７０Ａと、この第２突部本体７０Ａの上面から上方に延びる第２小突部７４Ａとを有し、上述したと同様に、第２小突部７４Ａが第２突部本体７０Ａより小さくなっている。
【００４９】
この形態では、図１１（ａ）で示すように、第２小突部７４Ａの長さｌ２は第２突部本体７０Ａの長さＬ２と等しい（ｌ２＝Ｌ２）が、第２小突部７４Ａの幅ｗ２が第２突部本体７０Ａの幅Ｗ２よりも小さく（ｗ２＜Ｗ２）なっている。尚、この場合においても、第２小突部７４Ａの高さｈ２は、第２突部本体７０Ａの高さＨ２と等しい又はこれよりも小さく形成される（ｈ２≦Ｈ２）。
【００５０】
このことに関連して、第２内係合凹部列６２Ａの複数の第２内係合凹部６６Ａは、固定用プレート６Ａの下面から上方に延びる第２凹部本体６７Ａと、この第２凹部本体６７Ａの底面から上方に延びる第２小凹部６９Ａとを有し、上述したと同様に、第２小凹部６９Ａは第２凹部本体６７Ａよりも小さくなっている。
【００５１】
この形態では、第２小凹部６９Ａの長さｌ２は第２凹部本体６７Ａの長さＬ２と等しい（ｌ２＝Ｌ２）が、第２小凹部６９Ａの幅ｗ２が第２凹部本体６７Ａの幅Ｗ２よりも小さくなっている。尚、この場合においても、第２小凹部６９Ａの深さｈ２は、第２凹部本体６７Ａの深さＨ２と等しい又はこれよりも小さく形成される（ｈ２≦Ｈ２）。
【００５２】
図１０及び図１１を参照して第２内係合突部列４４Ａ及び第２内係合凹部列６２Ａの構成について説明したが、図示していないが、第１内係合突部列及び第１係合凹部列についても、上述した第２内係合突部列４４Ａ及び第２内係合凹部列６２Ａと同様に構成することもできる。この第１の変形形態の支持基台１０Ａのその他の構成は、上述の第１の実施形態における支持基台１０と実質上同一の構成でよい。
【００５３】
このような固定用プレート６Ａ及び支持基台１０Ａを備えたものでも、固定用プレート６Ａの下面と支持基台１０Ａの上面とが充分な接触面積でもって係合され、これによって、両者間に充分な接触摩擦力が得られ、その結果、上述したと同様に、ダウエルピンが短くても充分な保持力を得ることができる。
【００５４】
図１２及び図１３において、第２の変形形態の支持基台１０Ｂでも、第２内係合突部列４４Ｂの複数の第２内係合突部４８Ｂは、基台本体１２Ｂの上壁１４から上方に延びる第２突部本体７０Ｂと、この第２突部本体７０Ｂの上面から上方に延びる第２小突部７４Ｂとを有し、上述したと同様に、第２小突部７４Ｂが第２突部本体７０Ｂより小さくなっている。
【００５５】
この形態では、図１３（ｂ）で示すように、第２小突部７４Ｂの幅ｗ２は第２突部本体７０Ｂの幅Ｗ２と等しい（ｗ２＝Ｗ２）が、第２小突部７４Ｂの長さｌ２が第２突部本体７０Ｂの長さＬ２よりも小さく（ｌ２＜Ｌ２）なっている。尚、この場合においても、第２小突部７４Ｂの高さｈ２は、第２突部本体７０Ｂの高さＨ２と等しい又はこれよりも小さく形成される（ｈ２≦Ｈ２）。
【００５６】
このことに関連して、第２内係合凹部列６２Ｂの複数の第２内係合凹部６６Ｂは、固定用プレート６Ｂの下面から上方に延びる第２凹部本体６７Ｂと、この第２凹部本体６７Ｂの底面から上方に延びる第２小凹部６９Ｂとを有し、上述したと同様に、第２小凹部６９Ｂは第２凹部本体６７Ｂよりも小さくなっている。
【００５７】
この形態では、第２小凹部６９Ｂの幅ｗ２は第２凹部本体６７Ａの幅Ｗ２と等しい（ｗ２＝Ｗ２）が、第２小凹部６９Ｂの長さｌ２が第２凹部本体６７Ｂの長さＬ２よりも小さくなっている。尚、この場合においても、第２小凹部６９Ｂの深さｈ２は、第２凹部本体６７Ｂの深さＨ２と等しい又はこれよりも小さく形成される（ｈ２≦Ｈ２）。
【００５８】
図１２及び図１３を参照して第２内係合突部列４４Ｂ及び第２内係合凹部列６２Ｂの構成について説明したが、図示していないが、第１内係合突部列及び第１係合凹部列についても、上述した第２内係合突部列４４Ｂ及び第２内係合凹部列６２Ｂと同様に構成することもでき、このように構成しても、上述したと同様の作用効果を得ることができる。
【００５９】
〔第２の実施形態〕
次に、図１４を参照して、第２の実施形態の歯科技工用作業模型について説明する。図１４において、この歯科技工用作業模型における支持基台１０Ｃでは、基台本体１２Ｃの両側部に一対の外係合突部２４Ｃ，２６Ｃが設けられているが、これら外係合突部２４Ｃ，２６Ｃに関連して設けられる内傾斜面と、これら内傾斜面に関連して設けられる複数の補助係合凹部とが省略されている。この場合、一方の内係合突部列４２（第１内係合突部列）は、一方の外係合突部２４Ｃと複数の挿通貫通孔２２（固定用プレートを装着した状態における複数のダウエルピン）との間に配設され、他方の内係合突部列４４（第２内係合突部列）は、他方の外係合突部２６Ｃと複数の挿通貫通孔２２（固定用プレートを装着した状態における複数のダウエルピン）との間に配設され、これら内係合突部列４２，４４は、上述したと同様に、複数の第１及び第２内係合突部４６，４８から構成される。
【００６０】
このことに関連して、図示していないが、固定用プレートにおいては、その下面の両側部に、支持基台１０Ｃ側の一対の外係合突部２４Ｃ，２６Ｃに対応して、一対の外係合凹部が設けられるが、これら外係合凹部に関連して設けられる外傾斜面及びこれら外傾斜面に関連して設けられる複数の補助係合突部が省略される。また、固定用プレートの下面には、支持本体１０Ｃ側の一方の内係合突部列４２（第１内係合突部列）に対応して内係合凹部列（第１内係合凹部列）が設けられ、他方の内係合突部列４４（第２内係合突部列）に対応して他方の内係合凹部列（第２内係合凹部列）が設けられ、これら内係合凹部列は、上述したと同様に、複数の第１及び第２内係合凹部から構成される。この第２の実施形態における支持基台１０Ｃ及び固定用プレートのその他の構成は、上述した形態と実質上同一である。
【００６１】
この第２の実施形態の支持基台１０Ｃを用いた歯科技工用作業模型では、支持基台１０Ｃ側に一対の外係合突部２４Ｃ，２６Ｃ及び一対の内係合突部列４２，４４が設けられているので、支持基台１０Ｃに固定用プレート（図示せず）を装着した状態では、支持基台１０Ｃ側の一対の外係合突部２４Ｃ，２６Ｃと固定用プレート側の一対の外係合凹部（図示せず）とが係脱自在に係合されるとともに、支持基台１０Ｃ側の一対の内係合突部列４２，４４の複数の第１及び第２内係合突部４６，４８と固定用プレート側の一対の内係合凹部列の複数の第１及び第２内係合凹部とが係脱自在に係合され、長さの短いダウエルピンを用いた場合であっても、上述したと同様に、固定用プレートを保持するための所望の保持力を得ることができる。
【００６２】
〔第３の実施形態〕
次に、図１５を参照して、第３の実施形態の歯科技工用作業模型について説明する。図１５において、この歯科技工用作業模型における支持基台１０Ｄは、基台本体１２Ｄの両側部に一対の外係合突部２４，２６が設けられ、これら外係合突部２４，２６の内面に内傾斜面２８，３０が設けられ、これら内傾斜面２８，３０に複数の補助係合凹部３２，３４が設けられているが、基台本体１２の上壁１４に関連して設けられる一対の内係合突部列の一方が省略されている。
【００６３】
この形態では、基台本体１２Ｄの外係合突部２６（内傾斜面３０）と複数の挿通貫通孔２２との間に内係合突部列４４が配設され、この内係合突部列４４が複数の内係合突部４８から構成され、このような内係合突部列４４は、上述したと同様の構成でよい。この場合、この内係合突部列４４が第１内係合突部列として機能し、内係合突部４８が第１内係合突部として機能し、その突部本体７０が第１突部本体と、またその小突部７４が第１小突部として機能する。この場合、第１の実施形態と対比すると、外係合突部２４（内傾斜面２８）と複数の挿通貫通孔２２との間に設けられる内係合突部列が省略されている。
【００６４】
このことに関連して、図示していないが、固定用プレートにおいては、その下面の両側部に、支持基台１０Ｄ側の一対の外係合突部２４，２６、それらの内面に設けられる内傾斜面２８，３０及びこれら内傾斜面２８，３０に設けられる複数の補助係合凹部３２，３４にそれぞれ対応して、一対の外係合凹部、これらの外面に外傾斜面及びこれら外傾斜面に複数の補助係合突部が設けられる。また、支持基台１０Ｄ側の内係合突部列４４に対応して、固定用プレートの下面に内係合凹部列が設けられる。この内係合凹部列は、上述したと同様の構成でよく、この場合、この内係合凹部列が第１内係合凹部列として機能し、内係合凹部が第１内係合凹部として機能し、その凹部本体が第１凹部本体と、またその小凹部が第１小凹部として機能する。
【００６５】
この第３の実施形態の支持基台１０Ｄを用いた歯科技工用作業模型では、支持基台１０Ｄ側に一対の外係合突部２４，２６、複数の補助係合凹部３２，３４及び内係合突部列４４が設けられているので、支持基台１０Ｄに固定用プレート（図示せず）を装着した状態では、支持基台１０Ｄ側の一対の外係合突部２４，２６及びそれらの補助係合凹部３２，３４と固定用プレート側の一対の外係合凹部（図示せず）及びそれらの補助係合突部（図示せず）とが係脱自在に係合されるとともに、支持基台１０Ｃ側の内係合突部列４４の複数の内係合突部４８と固定用プレート側の内係合凹部列の複数の内係合凹部とが係脱自在に係合され、長さの短いダウエルピンを用いた場合であっても、上述したと同様に、固定用プレートを保持するための所望の保持力を得ることができる。
【００６６】
この第３の実施形態では、図３と図１５とを対比することによって容易に理解される如く、一方の外係合突部２４と複数の挿通貫通孔２２との間に設けられる内係合突部列４２（図１参照）（加えて、これに対応する固定用プレート側の内係合凹部列）を省略しているが、これとは反対に、他方の外係合突部２６と複数の挿通貫通孔２２との間に設けられる内係合突部列４４（これに加えて、これに対応する固定用プレート側の内係合凹部列）を省略するようにしてもよい。
【００６７】
また、この第３の実施形態では、一対の外係合突部２４，２６に内傾斜面２８，３０及び補助係合凹部３２，３４を設けているが、図１５に示すように、例えば外係合突部２６側に内係合突部列４４を設ける場合、この外係合突部２６と反対側の外係合突部２４の内傾斜面２８及び補助係合凹部３２（これに加えて、これらに対応する固定用プレート側の外係合凹部の外傾斜面及び補助係合突部）を省略するようにしてもよく、上述した構成とは反対に、例えば外係合突部２４側に内係合突部列を設ける場合、この外係合突部２４と反対側の外係合突部２６の内傾斜面３０及び補助係合凹部３４（これに加えて、これらに対応する固定用プレート側の外係合凹部の外傾斜面及び補助係合突部）を省略するようにしてもよい。
【００６８】
〔第４の実施形態〕
次に、図１６〜図２０を参照して第４の実施形態の歯科技工用作業模型について説明する。図１６〜図１８において、図示の歯科技工用作業模型の支持基台１０Ｅは、外形が略半楕円状の基台本体１２Ｅを備え、この基台本体１２Ｅは、略Ｕ字状の細長い上壁１４Ｅを有し、この上壁１４Ｅの外周縁部には、下方に延びる周側壁１６Ｅが設けられている。即ち、この周側壁１６Ｅは、所定の間隔をおいて配設された略Ｕ字状の外側壁１３Ｅ及び内側壁１５Ｅと、これら外側壁１３Ｅ及び内側壁１５Ｅの両端部を接続する一対の端壁部１７Ｅとから構成されている。
【００６９】
基台本体１２Ｅの上壁１４Ｅには、略Ｕ字状の長手方向に間隔をおいて複数（この形態では、１４個）の挿入開口１８Ｅが設けられ、これら挿入開口１８Ｅは、固定用プレート６Ｅ側の複数のダウエルピン８（図１９において１つのみ示す）に対応して設けられる。基台本体１２Ｅの上壁１４Ｅの内面（下面）には、各挿入開口１８Ｅに対応して突出部２０Ｅ（図１８参照）が設けられ、かかる突出部２０Ｅには、挿入開口１８Ｅから下方に貫通して延びる挿通貫通孔２２Ｅが設けられ、固定用プレート６Ｅ側の複数のダウエルピン８は、上述したと同様に、基台本体１２Ｅの対応する挿入開口１８Ｅを通して挿通貫通孔２２Ｅ内に挿通される。基台本体１２Ｅの周側壁１６Ｅ及び突出部２０Ｅと固定用プレート６Ｅ側のダウエルピン８との関係は、上述したと同様に構成される。
【００７０】
この第４の実施形態では、略Ｕ字状の上壁１４Ｅの上面における相互に対向する両側部に一対の外係合突部２４Ｅ，２６Ｅが設けられ、これら一対の外係合突部２４Ｅ，２６Ｅは、この上壁１４Ｅの略Ｕ字状の長手方向に相互に略平行に延びている。この基台本体１２Ｅは、上壁１４Ｅが略Ｕ字状である点を除けば上述したと同様の構成であり、一対の外係合突部２４Ｅ，２６Ｅの内面は、内側に向けて下方に傾斜する内傾斜面２８Ｅ，３０Ｅを有し、これら内傾斜面２８Ｅ，３０Ｅには、その長手方向に間隔をおいて複数の補助係合凹部３２Ｅ，３４Ｅが設けられている。
【００７１】
また、基台本体１２Ｅの周側壁１６Ｅ（具体的には、外側壁１３Ｅ）の外面に、複数の挿通貫通孔２２Ｅに対応して（換言すると、固定用プレート６Ｅの装着状態において、これに設けられた複数のダウエルピン８に対応して）位置決め用突部３６Ｅが設けられている。また、基台本体１２Ｅの内側壁２６Ｅの間には、略半楕円状の接続壁部９２が設けられており、複数の位置決め用突部３０Ｅ及び接続壁部９２に当接するように成形用基枠（図示せず）が載置され、この成形基枠と基台本体１２Ｅの上壁１４Ｅにより規定される注入空間（図示せず）に石膏を注入することによって、上述したと同様にして固定用プレート６Ｅが成形され、かく成形された固定用プレート６Ｅに全歯タイプの歯形模型（図示せず）が接着剤などにより固定される。
【００７２】
この実施形態では、更に、基台本体１２Ｅの上壁１４Ｅの上面に、複数の挿通開口１８Ｅを挟んで両側に一対の内係合突部列４２Ｅ，４４Ｅが設けられている。一方の内係合突部列４２Ｅ（第１内係合突部列）は、一方の外係合突部２４Ｅと複数の挿通開口１８Ｅとの間に設けられ、一方の外係合突部２４Ｅ（又は複数の挿通開口１８Ｅ）にほぼ沿って間隔をおいて設けられた複数の第１内係合突部４６Ｅから構成されている。また、他方の内係合突部列４４Ｅ（第２内係合突部列）は、他方の外係合突部２６Ｅと複数の挿通開口１８Ｅとの間に設けられ、他方の外係合突部２６Ｅ（又は複数の挿通開口１８Ｅ）にほぼ沿って間隔をおいて設けられた複数の第２内係合突部４８Ｅから構成されている。
【００７３】
複数の第１及び第２内係合突部４６Ｅ，４８Ｅは、第１の実施形態のものと実質上同一の構成を有し、上壁１４Ｅの上面から上方に延びる第１及び第２突部本体６８Ｅ，７０Ｅと、これら第１及び第２突部本体６８Ｅ，７０Ｅの上面から上方に延びる第１及び第２小突部７２Ｅ，７４Ｅとから構成され、第１及び第２小突部７２Ｅ，７４Ｅは、第１及び第２突部本体６８Ｅ，７０Ｅよりも小さく構成されている。
【００７４】
この支持基台１０Ｅに取り付けられる固定用プレート６Ｅ（図１９にその一部のみを二点鎖線で示す）について概説すると、この固定用プレート６Ｅは基台本体１２Ｅの上壁１４Ｅの形状に対応した細長い略Ｕ字状の形状を有している。この固定用プレート６Ｅには、基台本体１２Ｅ側の各挿入開口１８Ｅ（挿通貫通孔２２Ｅ）に対応して複数（この形態では、１４本）のダウエルピン８が植設され、これらダウエルピン８は、上述したと同様の形状を有している。
【００７５】
この固定用プレート６Ｅは、更に、次の通りに構成されている。即ち、固定用プレート６Ｅの下面における相互に対向する両側部には、支持基台側１０Ｅ側の一対の外係合突部２４Ｅ，２６Ｅに対応して、一対の外係合凹部５０Ｅ，５２Ｅが設けられ、これら外係合凹部５０Ｅ，５２Ｅの外面は、支持基台１０Ｅ側の一対の外係合突部２４Ｅ，２６Ｅの内傾斜面２８Ｅ，３０Ｅに対応して、外傾斜面（図示せず）を有し、これら外傾斜面には、支持基台１０Ｅ側の補助係合凹部３２Ｅ，３４Ｅに対応して、その長手方向（図６において紙面に垂直な方向）に間隔をおいて複数の補助係合突部５５Ｅ，５７Ｅが設けられている。外係合凹部５０Ｅ，５２Ｅ、外傾斜面及び補助係合突部５５Ｅ，５７Ｅは、上述した第１の実施形態と実質上同一の形状である。
【００７６】
この固定用プレート６Ｅの下面には、支持基台１０Ｅ側の一対の内係合突部列（第１及び第２内係合突部列４２Ｅ，４４Ｅ）に対応して、一対の内係合凹部列（第１及び第２内係合凹部列６０Ｅ，６２Ｅ）（図１９参照）が設けられ、これら第１及び第２内係合凹部列６０Ｅ，６２Ｅは、第１の実施形態におけるものと実質上同一の構成を有し、複数の第１及び第２内係合凹部６４Ｅ，６６Ｅから構成されている（図１９においてそれらの一つのみを示す）。即ち、第１及び第２第２内係合凹部６４Ｅ，６６Ｅは、固定用プレート６Ｅの下面から上方に延びる第１及び第２凹部本体６３Ｅ，６７Ｅと、第１及び第２凹部本体６３Ｅ，６７Ｅの底面から上方に延びる第２小凹部６５Ｅ，６９Ｅとを有し、第１及び第２小凹部６５Ｅ，６９Ｅは第２凹部本体６３Ｅ，６７Ｅよりも小さく形成されている。尚、支持基台１０Ｅ側の第1及び第2内係合突部４６Ｅ，４８Ｅ並びに固定用プレート６Ｅ側の第1及び第2内係合凹部６４Ｅ，６６Ｅについては、図１０及び図１１に示す形態のもの、或いは図１２及び図１３に示す形態のものから構成するようにしてもよい。
【００７７】
この第４の実施形態の支持基台１０Ｅを用いた歯科技工用作業模型では、支持基台１０Ｅ側に一対の外係合突部２４Ｅ，２６Ｅ、複数の補助係合凹部３２Ｅ，３４Ｅ及び一対の内係合突部列４２Ｅ，４４Ｅ（複数の第１及び第２内係合突部４６Ｅ，４８Ｅ）が設けられているので、支持基台１０Ｅに固定用プレート６Ｅを装着した状態では、支持基台１０Ｅ側の一対の外係合突部２４Ｅ，２６Ｅ及びそれらの補助係合凹部３２Ｅ，３４Ｅと固定用プレート６Ｅ側の一対の外係合凹部５０Ｅ，５２Ｅ及びそれらの補助係合突部５５Ｅ，５７Ｅとが係脱自在に係合されるとともに、支持基台１０Ｅ側の一対の内係合突部列４２Ｅ，４４Ｅの複数の内係合突部４６Ｅ，４８Ｅと固定用プレート６Ｅ側の内係合凹部列６０Ｅ，６２Ｅの複数の内係合凹部６４Ｅ，６６Ｅとが係脱自在に係合され、長さの短いダウエルピンを用いた場合であっても、上述したと同様に、固定用プレート６Ｅを保持するための所望の保持力を得ることができる。
【００７８】
〔第５の実施形態〕
次に、図２１を参照して、第５の実施形態の歯科技工用作業模型について説明する。図２１において、この歯科技工用作業模型における支持基台１０Ｆは、基台本体１２Ｅの上壁１４Ｅの相互に対向する両側部に外係合突部２４Ｆ，２６Ｆが設けられているが、これら外係合突部２４Ｆ，２６Ｆに関連して設けられる内傾斜面及びこれら内傾斜面に関連して設けられる複数の補助係合凹部が省略されている。この場合、一方の内係合突部列４２Ｅは、一方の外係合突部２４Ｆと複数の挿通貫通孔２２Ｅ（固定用プレートを装着した状態における複数のダウエルピン）との間に配設され、他方の内係合突部列４４Ｅは、他方の外係合突部２６Ｆと複数の挿通貫通孔２２Ｅ（固定用プレートを装着した状態における複数のダウエルピン）との間に配設され、これら内係合突部列４２Ｅ，４４Ｅは、第３の実施形態と同様に、複数の第１及び第２内係合突部４６Ｅ，４８Ｅから構成される。
【００７９】
このことに関連して、図示していないが、固定用プレートにおいては、その下面の両側部に、支持基台１０Ｆ側の一対の外係合突部２４Ｅ，２６Ｅに対応して、一対の外係合凹部が設けられるが、これら外係合凹部に関連して設けられる外傾斜面及びこれら外傾斜面に関連して設けられる複数の補助係合突部が省略される。また、固定用プレートの下面には、支持本体１０Ｆ側の一方の内係合突部列４２Ｅ（第１内係合突部列）に対応して内係合凹部列（第１内係合凹部列）が設けられ、他方の内係合突部列４４Ｅ（第２内係合突部列）に対応して他方の内係合凹部列（第２内係合凹部列）が設けられ、これら内係合凹部列は、上述した第４の実施形態と同様に、複数の第１及び第２内係合凹部から構成される。この第５の実施形態における支持基台１０Ｆ及び固定用プレートのその他の構成は、上述した形態と実質上同一である。
【００８０】
この第２の実施形態の支持基台１０Ｆを用いた歯科技工用作業模型では、支持基台１０Ｆ側に一対の外係合突部２４Ｆ，２６Ｆ及び一対の内係合突部列４２Ｅ，４４Ｅが設けられているので、支持基台１０Ｆに固定用プレート（図示せず）を装着した状態では、支持基台１０Ｆ側の一対の外係合突部２４Ｆ，２６Ｆと固定用プレート側の一対の外係合凹部（図示せず）とが係脱自在に係合されるとともに、支持基台１０Ｆ側の一対の内係合突部列４２Ｅ，４４Ｅの複数の第１及び第２内係合突部４６Ｅ，４８Ｅと固定用プレート側の一対の内係合凹部列の複数の第１及び第２内係合凹部（図示せず）とが係脱自在に係合され、長さの短いダウエルピンを用いた場合であっても、上述した第４の実施形態と同様に、固定用プレートを保持するための所望の保持力を得ることができる。
【００８１】
〔第６の実施形態〕
次に、図２２を参照して、第６の実施形態の歯科技工用作業模型について説明する。図２２において、この歯科技工用作業模型における支持基台１０Ｇは、基台本体１２Ｇの上壁１４Ｅの相互に対向する両側部に一対の外係合突部２４Ｅ，２６Ｅが設けられ、これら外係合突部２４Ｅ，２６Ｅの内面に内傾斜面２８Ｅ，３０Ｅが設けられ、これら内傾斜面２８Ｅ，３０Ｅに複数の補助係合凹部３２Ｅ，３４Ｅが設けられているが、基台本体１２Ｇの上壁１４Ｅに関連して設けられる一対の内係合突部列の一方が省略されている。
【００８２】
この形態では、基台本体１２Ｇの外係合突部２６Ｅ（内傾斜面３０Ｅ）と複数の挿通貫通孔２２Ｅとの間に内係合突部列４４Ｅが配設され、この内係合突部列４４Ｅが複数の内係合突部４８Ｅから構成され、このような内係合突部列４４Ｅは、上述した第４の実施形態と同様の構成でよい。この場合、この内係合突部列４４Ｅが第１内係合突部列として機能し、内係合突部４８Ｅが第１内係合突部として機能し、その突部本体７０が第１突部本体と、またその小突部７４が第１小突部として機能する（図２０参照）。この場合、第４の実施形態と対比すると、外係合突部２４Ｅ（内傾斜面２８Ｅ）と複数の挿通貫通孔２２Ｅとの間に設けられる内係合突部列が省略されている。
【００８３】
このことに関連して、図示していないが、固定用プレートにおいては、その下面の両側部に、支持基台１０Ｇ側の一対の外係合突部２４Ｅ，２６Ｅ、それらの内面に設けられる内傾斜面２８Ｅ，３０Ｅ及びこれら内傾斜面２８Ｅ，３０Ｅに設けられる複数の補助係合凹部３２Ｅ，３４Ｅにそれぞれ対応して、一対の外係合凹部、これらの外面に外傾斜面及びこれら外傾斜面に複数の補助係合突部が設けられる。また、支持基台１０Ｇ側の内係合突部列４４Ｅに対応して、固定用プレートの下面に内係合凹部列が設けられる。この内係合凹部列は、上述したと同様の構成でよく、この場合、この内係合凹部列が第１内係合凹部列として機能し、内係合凹部が第１内係合凹部として機能し、その凹部本体が第１凹部本体と、またその小凹部が第１小凹部として機能する。
【００８４】
この第６の実施形態の支持基台１０Ｇを用いた歯科技工用作業模型では、支持基台１０Ｇ側に一対の外係合突部２４Ｅ，２６Ｅ、複数の補助係合凹部３２Ｅ，３４Ｅ及び内係合突部列４４Ｅが設けられているので、支持基台１０Ｇに固定用プレート（図示せず）を装着した状態では、支持基台１０Ｇ側の一対の外係合突部２４Ｅ，２６Ｅ及びそれらの補助係合凹部３２Ｅ，３４Ｅと固定用プレート側の一対の外係合凹部（図示せず）及びそれらの補助係合突部（図示せず）とが係脱自在に係合されるとともに、支持基台１０Ｇ側の内係合突部列４４Ｅの複数の内係合突部４８Ｅと固定用プレート側の内係合凹部列の複数の内係合凹部とが係脱自在に係合され、長さの短いダウエルピンを用いた場合であっても、上述した第４の実施形態と同様に、固定用プレートを保持するための所望の保持力を得ることができる。
【００８５】
この第６の実施形態では、図１７と図２２とを対比することによって容易に理解される如く、一方の外係合突部２４Ｅと複数の挿通貫通孔２２Ｅとの間に設けられる内係合突部列４２Ｅ（図１７参照）（加えて、これに対応する固定用プレート側の内係合凹部列）を省略しているが、これとは反対に、他方の外係合突部２６Ｅと複数の挿通貫通孔２２Ｅとの間に設けられる内係合突部列４４Ｅ（これに加えて、これに対応する固定用プレート側の内係合突部列）を省略するようにしてもよい。
【００８６】
また、この第６の実施形態では、一対の外係合突部２４Ｅ，２６Ｅに内傾斜面２８Ｅ，３０Ｅ及び補助係合凹部３２Ｅ，３４Ｅを設けているが、図２２に示すように、例えば外係合突部２６Ｅ側に内係合突部列４４Ｅを設ける場合、この外係合突部２６Ｅと反対側の外係合突部２４Ｅの内傾斜面２８Ｅ及び補助係合凹部３２Ｅ（これに加えて、これらに対応する固定用プレート側の外係合凹部の外傾斜面及び補助係合突部）を省略するようにしてもよく、上述した構成とは反対に、例えば外係合突部２４Ｅ側に内係合突部列を設ける場合、この外係合突部２４Ｅと反対側の外係合突部２６Ｅの内傾斜面３０Ｅ及び補助係合凹部３４Ｅ（これに加えて、これらに対応する固定用プレート側の外係合凹部の外傾斜面及び補助係合突部）を省略するようにしてもよい。
【００８７】
〔第７の実施形態〕
次いで、図２３〜図２５を参照して、第７の実施形態の歯科技工用作業模型について説明する。上述した実施形態では、固定用プレートに設けられた複数のダウエルピンは、基台本体の長手方向に一列に設けられているが、第７の実施形態では、複数のダウエルピンは基台本体の長手方向に２列に設けられている。
【００８８】
図２３〜図２５において、この第７の形態の歯科技工用作業模型では、支持基台１０Ｈの基台本体１２Ｈの上壁１４Ｈは、上述したと同様に、細長いＵ字形状に形成され、この上壁１４Ｈの幅方向略中央部には、幅方向に隣接するように一対の挿通開口１８Ｈａ，１８Ｈｂが設けられ、これら一対の挿通開口１８Ｈａ，１８Ｈｂが上壁１４Ｈの長手方向に間隔をおいて複数（この形態では、外側１４個、内側１４個の合計２８個）設けられ、各挿通開口１８Ｈａ，１８Ｈｂから下方に挿通貫通孔２２Ｈａ，２２Ｈｂが延びている。
【００８９】
このことに関連して、固定用プレート６Ｈには、支持基台１０Ｅ側の挿通開口８Ｈａ，１８Ｈｂ（挿通貫通孔２２Ｈａ，２２Ｈｂ）に対応して、複数のダウエルピン８ａ，８ｂが、その幅方向に２列に設けられている。片方の列（外側の列）の複数のダウエルピン８ａは、基台本体１２Ｈの外側の列の挿通開口１８Ｈａ（挿通貫通孔２２Ｈａ）に対応して設けられ、他方の列（内側の列）の複数のダウエルピン８ｂは、基台本体１２Ｈの内側の列の複数の挿通開口１８Ｈｂ（挿通貫通孔２２Ｈｂ）に対応して設けられ、複数のダウエルピン８ａ，８ｂを挿通開口１８Ｈａ，１８Ｈｂを通して挿通貫通孔２２Ｈａ，２２Ｈｂに挿通することによって、固定用プレート６Ｈが基台本体１２Ｈの上壁１４Ｈに載置されて装着される。
【００９０】
第７の実施形態では、固定用プレート６Ｈ側に複数のダウエルピン８ａ，８ｂが２列に設けられていることに関連して、基台本体１２Ｈの外側部と外側の列の挿通開口１８Ｈａとの間に第１内係合突部列４２Ｈが設けられ、また基台本体１２Ｈの内側部と内側の列の挿通開口１８Ｈｂとの間に第２内係合突部列４４Ｈが設けられている。第１及び第２内係合突部列４２Ｈ，４４Ｈは、複数の第１及び第２内係合突部４６Ｅ，４８Ｅから構成され、これら第１及び第２内係合突部４６Ｅ，４８Ｅは、図１６〜図２０に示す第４の実施形態に示すものと同様の構成でよく、上壁１４Ｈの上面から上方に延びる第１及び第２突部本体と、第１及び第２突部本体から上方に延びる第１及び第２小突部とを備えている。
【００９１】
このことに関連して、固定用プレート６Ｈには、その外側部と外側の列の複数のダウエルピン８ａとの間に、基台本体１２Ｈ側の第１内係合突部列４２Ｈに対応して、第１内係合凹部列６０Ｈが設けられ、またその内側部と内側の列の複数のダウエルピン８ｂとの間に，基台本体１２Ｈ側の第２内係合突部列４４Ｈに対応して、第２内係合凹部列６２Ｈが設けられている。第１及び第２内係合凹部列６０Ｈ，６２Ｈは、複数の第１及び第２内係合凹部６４Ｅ，６６Ｅから構成され、これら第１及び第２内係合凹部６４Ｅ，６６Ｅは、上述の第４の実施形態に示すものと同様の構成でよく、固定用プレート６Ｈの下面から上方に延びる第１及び第２凹部本体と、第１及び第２凹部本体から上方に延びる第１及び第２小凹部とを備えている。
【００９２】
この第７の実施形態では、支持基台１０Ｈ側に複数の挿通開口１８Ｈａ，１８Ｈｂが２列に設けられ、また支持基台１０Ｈの上面に２列の内係合突部列６０Ｈ，６２Ｈが設けられていることから、第４の実施形態における基台本体１２Ｅ側の第１及び第２外係合突部２４Ｅ，２６Ｅ、それらの内傾斜面２６Ｅ，２８Ｅ並びにそれらの第１及び第２補助係合凹部３２Ｅ，３４Ｅ（加えて、固定用プレート６Ｅ側の第１及び第２外係合凹部５０Ｅ，５２Ｅ、それらの外傾斜面並びにそれらの第１及び第２補助係合突部）が省略される。この第７の形態におけるその他の構成は、上述した第４の実施形態と実質上同一である。
【００９３】
第７の実施形態の歯科技工用作業模型では、支持基台１０Ｈ側に２列の複数の挿通貫通孔２２Ｈａ，２２Ｈｂが設けられているとともに、第１及び第２内係合突部列４２Ｈ，４４Ｈが設けられているので、支持基台１０Ｈに固定用プレート６Ｈを装着した状態では、固定用プレート６Ｈ側の２列のダウエルピン８ａ，８ｂが支持基台１０Ｈ側の２列の対応する挿通貫孔２２Ｈａ，２２Ｈｂに挿通されるとともに、支持基台１０Ｈ側の第１及び第２内係合突部列４２Ｅ，４４Ｅの複数の第１及び第２内係合突部４６Ｅ，４８Ｅと固定用プレート６Ｈ側の第１及び第２内係合凹部列６０Ｈ，６２Ｈの複数の第１及び第２内係合凹部６４Ｅ，６６Ｅとが係脱自在に係合され、従って、長さの短いダウエルピンを用いた場合であっても、上述した第４の実施形態と同様に、固定用プレートを保持するための所望の保持力を得ることができる。
【００９４】
〔第８の実施形態〕
次に、図２６を参照して、第８の実施形態の歯科技工用作業模型について説明する。第７の実施形態では、ダウエルピンを２列に配設した全歯タイプのものに適用したが、この形態では、ダウエルピンを２列に配設した部分歯タイプのものに適用している。
【００９５】
図２６において、この第８の形態の歯科技工用作業模型では、支持基台１０Ｊの基台本体１２Ｊの上壁１４Ｊは、上述した第１の実施形態と同様に、細長い略矩形状に形成され、この上壁１４Ｊの幅方向略中央部には、幅方向に隣接するように一対の挿通開口１８Ｊａ，１８Ｊｂが設けられ、これら一対の挿通開口１８Ｊａ，１８Ｈｂが上壁１４Ｊの長手方向に間隔をおいて複数（この形態では、片側５個、他側５個の合計１０個）設けられ、各挿通開口１８Ｊａ，１８Ｊｂから下方に挿通貫通孔２２Ｊａ，２２Ｊｂが延びている。
【００９６】
このことに関連して、図示していないが、第７の実施形態の説明から理解される如く、固定用プレートには、支持基台１０Ｊ側の挿通開口１８Ｊａ，１８Ｊｂ（挿通貫通孔２２Ｊａ，２２Ｊｂ）に対応して、複数のダウエルピンがその幅方向に２列に設けられている。片方の列の複数のダウエルピンは、基台本体１２Ｊの片方の列の挿通開口１８Ｊａ（図２６において下側の列のもの）に対応して設けられ、他方の列の複数のダウエルピンは、基台本体１２Ｊの他側の列の複数の挿通開口１８Ｈｂ（図２６において上側の列のもの）に対応して設けられ、複数のダウエルピンを挿通貫通孔２２Ｊａ，２２Ｊｂに挿通することによって、固定用プレートが基台本体１２Ｊの上壁１４Ｊに載置されて装着される。
【００９７】
第８の実施形態では、第７の実施形態と同様に、基台本体１２Ｊの片側部（図２６において下側の側部）と片側列の挿通開口１８Ｊａとの間に第１内係合突部列４２Ｊが設けられ、また基台本体１２Ｊの他側部（図２６において上側の側部）と他側列の挿通開口１８Ｊｂとの間に第２内係合突部列４４Ｊが設けられている。第１及び第２内係合突部列４２Ｊ，４４Ｊは、複数の第１及び第２内係合突部４６Ｊ，４８Ｊから構成され、これら第１及び第２内係合突部４６Ｊ，４８Ｊは、上述の第７の実施形態のものと同様の構成でよく、上壁１４Ｊの上面から上方に延びる第１及び第２突部本体と、第１及び第２突部本体から上方に延びる第１及び第２小突部とを備えている。
【００９８】
このことに関連して、固定用プレート６には、図示していないが、基台本体１２Ｊ側の第１内係合突部列４２Ｊに対応して、第１内係合凹部列が設けられ、また基台本体１２Ｊ側の第２内係合突部列４４Ｊに対応して、第２内係合凹部列が設けられている。第１及び第２内係合凹部列は、複数の第１及び第２内係合凹部から構成され、これら第１及び第２内係合凹部は、上述の第７の実施形態に示すものと同様の構成でよく、固定用プレートの下面から上方に延びる第１及び第２凹部本体と、第１及び第２凹部本体から上方に延びる第１及び第２小凹部とを備えている。
【００９９】
この第８の実施形態では、第１の実施形態における基台本体１２側の第１及び第２外係合突部２４，２６、それらの内傾斜面２６，２８並びにそれらの第１及び第２補助係合凹部３２，３４（加えて、固定用プレート６側の第１及び第２外係合凹部５０，５２、それらの外傾斜面５４，５６並びにそれらの第１及び第２補助係合突部）が省略される。この第８の形態におけるその他の構成は、上述した第１の実施形態と実質上同一である。
【０１００】
第８の実施形態の歯科技工用作業模型では、支持基台１０Ｊ側に２列の複数の挿通貫通孔２２Ｊａ，２２Ｊｂが設けられているとともに、第１及び第２内係合突部列４２Ｊ，４４Ｊが設けられているので、支持基台１０Ｊに固定用プレート（図示せず）を装着した状態では、固定用プレート側の２列のダウエルピンが支持基台１０Ｊ側の２列の対応する挿通貫孔２２Ｊａ，２２Ｊｂに挿通されるとともに、支持基台１０Ｊ側の第１及び第２内係合突部列４２Ｊ，４４Ｊの複数の第１及び第２内係合突部４６Ｊ，４８Ｊと固定用プレート側の第１及び第２内係合凹部列の複数の第１及び第２内係合凹部（図示せｚＵ）とが係脱自在に係合され、従って、第１の実施形態と同様に、固定用プレートを保持するための所望の保持力を得ることができる。
以上、本発明に従う歯科技工用作業模型の各種実施形態について説明したが、本発明はこれら実施形態に限定されず、本発明の範囲を逸脱することなく種々の変更乃至修正が可能である。
【０１０１】
例えば、第１（又は第２〜第８）の実施形態では、支持基台側の上壁の上面における両側部に一対の外係合突部を設けるとともに、固定用プレートの下面の両側部に一対の外係合凹部を設けているが、このような構成とは反対に、支持基台側の上壁に一対の外係合凹部を設けるとともに、これら一対の外係合凹部に対応して、固定用プレート側に一対の外係合凹部を設けるようにしてもよい。
【０１０２】
また、例えば、第１（又は第２〜第８）の実施形態では、支持基台側の上壁の上面に複数の第１内係合突部を設けるとともに、これらの第１内係合突部に対応して固定用プレートの下面に複数の第１内係合凹部を設けているが、このような構成とは反対に、固定用プレート側に複数の第１内係合突部を設けるとともに、支持基台側の上壁に複数の第１内係合凹部を設けるようにしてもよい。
また、例えば、第１（又は第２、第４〜第５及び第７〜第８）の実施形態では、支持基台側の上壁の上面に複数の第２内係合突部を設けるとともに、これらの第２内係合突部に対応して固定用プレートの下面に複数の第２内係合凹部を設けているが、このような構成とは反対に、固定用プレート側に複数の第２内係合突部を設けるとともに、支持基台側の上壁に複数の第２内係合凹部を設けるようにしてもよい。
【符号の説明】
【０１０３】
２  歯科技工用作業模型
４  歯科模型
６，６Ｅ，６Ｈ  固定用プレート
８，８ａ，８ｂ  ダウエルピン
１０，１０Ａ，１０Ｂ，１０Ｃ，１０Ｄ，１０Ｅ，１０Ｆ，１０Ｇ，１０Ｈ，１０Ｊ          支持基台
１２，１２Ａ，１２Ｂ，１２Ｃ，１２Ｄ，１２Ｅ，１２Ｆ，１２Ｇ，１２Ｈ，１２Ｊ          基台本体
１４，１４Ｅ，１４Ｈ，１４Ｊ  上壁
２２，２２Ｅ，２２Ｈａ，２２Ｈｂ，２２Ｊａ，２２Ｊｂ  貫通挿通孔
２４，２４Ｃ，２４Ｅ，２４Ｆ，２６，２６Ｃ，２６Ｅ，２６Ｆ  外係合突部
２８，２８Ｅ，３０，３０Ｅ  内傾斜面
３２，３２Ｅ，３４，３４Ｅ  補助係合凹部
４２，４２Ｅ，４２Ｈ，４２Ｊ，４４，４４Ａ，４４Ｂ，４４Ｅ，４４Ｈ，４４Ｊ            内係合突部列
４６，４６Ｅ，４８，４８Ａ，４８Ｂ，４８Ｅ，４８Ｊ  内係合突部
５０，５０Ｅ，５２，５２Ｅ  外係合凹部
５４，５６  外傾斜面
６０，６０Ｅ，６０Ｈ，６２，６２Ａ，６２Ｂ，６２Ｅ，６２Ｈ  内係合凹部列
６３Ｅ，６７，６７Ａ，６７Ｂ  凹部本体
６４，６４Ｅ，６６，６６Ａ，６６Ｂ，６６Ｅ  内係合凹部
６５Ｅ，６９，６９Ａ，６８Ｂ  小凹部
６８，６８Ｅ，７０，７０Ａ，７０Ｂ，７０Ｅ  突部本体
７２，７２Ｅ，７４，７４Ａ，７４Ｂ，７４Ｅ  小突部
【図１】
2017074348.tif 000003
【図２】
2017074348.tif 000004
【図３】
2017074348.tif 000005
【図４】
2017074348.tif 000006
【図５】
2017074348.tif 000007
【図６】
2017074348.tif 000008
【図７】
2017074348.tif 000009
【図８】
2017074348.tif 000010
【図９】
2017074348.tif 000011
【図１０】
2017074348.tif 000012
【図１１】
2017074348.tif 000013
【図１２】
2017074348.tif 000014
【図１３】
2017074348.tif 000015
【図１４】
2017074348.tif 000016
【図１５】
2017074348.tif 000017
【図１６】
2017074348.tif 000018
【図１７】
2017074348.tif 000019
【図１８】
2017074348.tif 000020
【図１９】
2017074348.tif 000021
【図２０】
2017074348.tif 000022
【図２１】
2017074348.tif 000023
【図２２】
2017074348.tif 000024
【図２３】
2017074348.tif 000025
【図２４】
2017074348.tif 000026
【図２５】
2017074348.tif 000027
【図２６】
2017074348.tif 000028